(57)【要約】【課題】装置主要部が筐体に収容された型式の電気的設備の、保守作業に要する手間、時間、及びコストの削減を可能とする電気的設備の落下防止構造及び落下防止構造用移動規制具を提供する。【解決手段】設備取付け対象部に固定される筐体の内部に配置された装置主要部への電力供給線に、前記電力供給線の径方向に働く力で前記電力供給線に圧着される移動規制具が固定される。前記移動規制具は、前記電力供給線の径方向に働く力で前記電力供給線に圧着するための第一挟持部及び第二挟持部と、前記電力供給線の外周に密着するスリーブで構成され、前記筐体に設けられた前記電力供給線の挿通孔を通過できない寸法となっている。【選択図】  図１
2016127229.tif 000002
【特許請求の範囲】
【請求項１】
設備取付け対象部に固定される筐体の内部に配置された装置主要部への電力供給線に、前記電力供給線の径方向に働く力で前記電力供給線に圧着される移動規制具が固定され、前記移動規制具は、前記筐体に設けられた前記電力供給線の挿通孔を通過できない寸法となっていることを特徴とする電気的設備の落下防止構造。
【請求項２】
前記移動規制具は、外周に螺条を設けた円柱部材からなる第一挟持部と、前記円柱部材の外周に螺合して配置される環状部材を有する第二挟持部と、前記電力供給線の外周に密着するスリーブで構成され、前記円柱部材は一方の底面に開口を有し径方向に貫通する溝を有し、前記第二挟持部は前記環状部材に対し回動自在とされ前記溝に挿入可能な形状の押え板を有し、前記スリーブは、円管の一端に漏斗状の拡開部を設けた形状をなし、長さ方向に延びるスリットを有し、前記電力供給線は、前記スリーブを介し前記溝の底部と前記押え板で挟持される請求項１に記載の電気的設備の落下防止構造。
【請求項３】
前記円柱部材と前記環状部材が金属製である請求項２に記載の電気的設備の落下防止構造。
【請求項４】
前記円柱部材と前記環状部材が樹脂製である請求項３に記載の電気的設備の落下防止構造。
【請求項５】
設備取付け対象部に固定される筐体の内部に配置された装置主要部への電力供給線に、前記電力供給線の径方向に働く力で前記電力供給線に圧着するための第一挟持部及び第二挟持部と、前記電力供給線の外周に密着するスリーブで構成され、
前記第一挟持部は、外周に螺条を設けた円柱部材からなり、前記円柱部材は一方の底面に開口を有し径方向に貫通する溝を有し、
前記第二挟持部は前記環状部材に対し回動自在とされ前記溝に挿入可能な形状の押え板を有し、
前記スリーブは、円管の一端に漏斗状の拡開部を設けた形状をなし、長さ方向に延びるスリットを有し、
前記筐体に設けられた前記電力供給線の挿通孔を通過できない寸法となっていることを特徴とする電気的設備の落下防止構造用移動規制具。
【請求項６】
前記円柱部材と前記環状部材が金属製である請求項５に記載の電気的設備の落下防止構造用移動規制具。
【請求項７】
前記円柱部材と前記環状部材が樹脂製である請求項３に記載の電気的設備の落下防止構造用移動規制具。
【発明の詳細な説明】
【技術分野】
【０００１】
本発明は、車両の走行、工事作業、或いは演奏や演劇などの目的で使用される空間の上方に設置された、照明装置、撮像装置、音響装置などの電気的設備の落下防止構造、及び、その構造に好適な落下防止構造用移動規制具に関するものである。
【背景技術】
【０００２】
道路や工事作業現場、或いは舞台など、所定の目的で使用される空間の上方には、照明装置、撮像装置、音響装置など、様々な電気的設備が設置される。そして、これら電気的設備には、装置落下による事故の発生を防止するために、装置本体を支柱などの設備取付け対象部に固定するための固定手段とは別の落下防止措置が施されている。具体的には、装置本体がワイヤロープなどの落下防止用線材を介し設備取付け対象部に連結されている。
【０００３】
落下防止用線材を介して設備取付け対象部に連結する手法としては、例えば、特開平９−２８２９３０号公報や特開２０１４−８９８２９号公報に開示されているように、ワイヤロープの一端を装置本体に固定し、他端を支柱などの設備取付け対象部に固定する方法がある。
【０００４】
また、装置主要部が筐体に収容された型式のものであれば、落下防止用線材を、装置本体をなす筐体の外周に巻回し、更に設備取付け対象部に括り付ける方法が採用されている。
【先行技術文献】
【特許文献】
【０００５】
【特許文献１】特開平９−２８２９３０号公報
【特許文献２】特開２０１４−８９８２９号公報
【発明の開示】
【発明が解決しようとする課題】
【０００６】
しかしながら、落下防止用線材を利用して装置本体を設備取付け対象部に連結する従来の手法では、装置の保守作業時に、作業内容によっては線材を一時的に取外し、作業完了後に再度取り付ける必要があった。
【０００７】
特に、落下防止用線材を筐体の外周に巻回し、更に設備取付け対象部に括り付けた場合、筐体内部に配置された装置主要部の点灯部材（蛍光管や電球など）を交換する際、落下防止用線材を一度切断して筐体を開放し、点灯部材を交換した後、新たな落下防止用線材を使用して括り付け直す必要があった。
【０００８】
そのため、装置主要部が筐体に収容された型式の電気的設備にあっては、落下防止用線材を使用する従来の落下防止方法では、落下防止用線材の取付けと取外しに手間と時間を要し、更に、新たな落下防止用線材を用意するためのコストもかかる問題があった。
【０００９】
そこで、本発明は、装置主要部が筐体に収容された型式の電気的設備の、保守作業に要する手間、時間、及びコストの削減を可能とする電気的設備の落下防止構造及び落下防止構造用移動規制具を提供することを目的とする。
【課題を解決するための手段】
【００１０】
本発明に係る電気的設備の落下防止構造では、設備取付け対象部に固定される筐体の内部に配置された装置主要部への電力供給線に、前記電力供給線の径方向に働く力で前記電力供給線に圧着される移動規制具が固定され、前記移動規制具は、前記筐体に設けられた前記電力供給線の挿通孔を通過できない寸法となっている。
【００１１】
前記移動規制具は、外周に螺条を設けた円柱部材からなる第一挟持部と、前記円柱部材の外周に螺号して配置される環状部材を有する第二挟持部と、前記電力供給線の外周に密着するスリーブで構成されるものであってもよい。
【００１２】
そして、前記円柱部材は一方の底面に開口を有し径方向に貫通する溝を有し、前記第二挟持部は前記環状部材に対し回動自在とされ前記溝に挿入可能な形状の押え板を有し、前記スリーブは、円管の一端に漏斗状の拡開部を設けた形状をなし、長さ方向に延びるスリットを有し、前記電力供給線は、前記スリーブを介し前記溝の底部と前記押え板で挟持されるものであってもよい。
【００１３】
前記円柱部材と前記環状部材は、金属製であってもよく、樹脂製であってもよい。
【００１４】
本発明に係る電気的設備の落下防止構造用移動規制具は、設備取付け対象部に固定される筐体の内部に配置された装置主要部への電力供給線に、前記電力供給線の径方向に働く力で前記電力供給線に圧着するための第一挟持部及び第二挟持部と、前記電力供給線の外周に密着するスリーブで構成される。
【００１５】
本発明に係る電気的設備の落下防止構造用移動規制具において、前記第一挟持部は、外周に螺条を設けた円柱部材からなり、前記円柱部材は一方の底面に開口を有し径方向に貫通する溝を有する。前記第二挟持部は、前記環状部材に対し回動自在とされ前記溝に挿入可能な形状の押え板を有する。前記スリーブは、円管の一端に漏斗状の拡開部を設けた形状をなし長さ方向に延びるスリットを有する。
【００１６】
そして、本発明に係る電気的設備の落下防止構造用移動規制具は、前記筐体に設けられた前記電力供給線の挿通孔を通過できない寸法となっている
【発明の効果】
【００１７】
本発明に係る電気的設備の落下防止構造によれば、設備取付け対象部への固定手段の損傷等により筐体と装置主要部が設備取付け対象部から脱落した場合に、筐体が移動規制具に係合する。そして、電力供給線によって吊り下げられた状態となり、筐体と装置主要部の落下を防ぐことができる。
【００１８】
また、移動規制具は、電力供給線に固定された状態で筐体内部に収容されるため、筐体開放の妨げとならない。そのため、筐体内部に配置された装置主要部の点灯部材を交換する際にも、取り外しや付け直しが不要となり、保守作業に要する手間、時間、及びコストの削減が可能となる
【００１９】
更にまた、移動規制具は、電力供給線の径方向に働く力で電力供給線に圧着されるため、電力供給線の接続状態を解除することなく取り付けることができる。従って、取付け作業の手間や時間を削減することも可能となる。
【００２０】
移動規制具は、使用状態に応じて最適な構成とすればよいが、外周に螺条を設けた円柱部材から成る第一挟持部と、円柱部材の外周に螺合して配置される環状部材及び環状部材に対し回動自在とされた押え板を有する第二挟持部と、電力供給線の外周に密着するスリーブで構成することが好ましい。すなわち、本発明に係る電気的設備の落下防止構造用移動規制具が好適である。この場合、簡単な構造で、電力供給線に対し強固に取付けることができる。
【００２１】
円柱部材と環状部材は、使用状態に応じて最適な材質を選択すればよく、例えば、金属製の重い筐体であれば耐衝撃性を高めるために金属製とすることが好ましい。一方、装置全体が軽量なものであれば、加工性に優れた樹脂製としてもよい。
【図面の簡単な説明】
【００２２】
【図１】本発明に係る電気的設備の落下防止構造の実施形態を示す斜視図である。
【図２】図１に示す落下防止構造の分解斜視図である。
【図３】落下耐久試験を実施した仮設足場を示す斜視図である。
【発明を実施するための形態】
【００２３】
図１、図２を参照しながら、本発明の実施形態について説明する。
本実施形態の落下防止構造は、筐体２の内部に配置された図示しない装置主要部への電力供給線３に移動規制具１を固定し、筐体２と装置主要部が支柱などの取付け対象部から脱落したときには、筐体２を移動規制具１に係合させ、電力供給線２に吊り下げられた状態として筐体２と装置主要部の落下を防ぐものである。
【００２４】
筐体２は金属製の箱体で、装置主要部として照明装置を内包している。照明装置への電力供給線３は、側面に形成された挿通孔４を通して筐体２の内部に引き込まれている。また、筐体２の外部には、図示しないブラケットが設けられ、取付け対象部に設けられたブラケットにネジ止めできるものとなっている。
【００２５】
移動規制具１は、本発明に係る電気的設備の落下防止構造用移動規制具に相当し、第一挟持部１０、第二挟持部２０、及び、スリーブ３０で構成されている。
【００２６】
スリーブ３０は、樹脂製の管材で形成されたもので、円管３１の一端に漏斗状の拡開部３２を設けた形状をなし、長さ方向に延びるスリット３３を有している。電力供給線３に対しては、スリット３３を介し、電力供給線３の接続状態を解除することなくその外周に嵌め込むことができるものとなっている。
【００２７】
第一挟持部１０は、鋼製の円柱部材１１から成り、一方の底面に開口を有し径方向に貫通する溝１２と、外周に設けられた螺条１３を有している。
【００２８】
溝１２は、スリーブ３０の外周形状に適合する湾曲した底面を有し、底面には湾曲方向に沿って延びる凹部１４の複数が刻設されている。そして、電力供給線３のスリーブ３０の嵌め込まれた部位が溝１２に挿入設置された状態において、電力供給線３の長手方向の移動が規制されるものとなっている。
【００２９】
また、円柱部材１１の、溝１２の底面が配置される側の底部は、円柱部材１１の外表面から突出した把持部１５とされている。そのため、移動規制具１を電力供給線３に取付けるときには、この把持部１５を把持し、第二挟持部２０を第一挟持部１０に容易に螺合させることができる。
【００３０】
第二挟持部材２０は、環状部材２１、押え板２２、及び支持板２３で構成されている。環状部材２１は、軸線方向を貫通する中空部の内周に設けられた、円柱部材１０の螺条１２に螺合する螺条２４を有し、円柱部材１１の外周に螺合して配置される。
【００３１】
押え板２２は、環状部材２１が円柱部材１０の外周に配置されたとき、環状部材２１の円柱部材１１に向く面の側に配置されている。また、支持板２３は、押え板２２と向かい合って環状部材２１を挟み込む配置とされている。そして、押え板２２と支持板２３は、環状部材２１の中空部に挿通された支持棒２５を介して連結され、環状部材２１に対し回動自在とされている。
【００３２】
押え板２１と支持板２３は、幅方向の寸法が第一挟持部１０の溝１２の幅より短くされており、溝１２に挿入できる形状となっている。なお、押え板２１と支持板２３の幅方向の寸法は、環状部材２１の中空部の径よりも短いものとなるが、長手方向の寸法が環状部材２１の中空部の径よりも長くされているため、環状部材２１から脱落することはない。
【００３３】
また、押え板２１と支持板２３の幅方向両側には隙間が形成されるため、この隙間に円柱部材１１を挿入することができる。そして、押え板２１と支持板２３が円柱部材１１の溝１２に嵌め込まれた状態で環状部材２１を円柱部材１０に対し回転させることにより、第一挟持部材１０に第二挟持部材２０を螺合させることができる。
【００３４】
図１に示すように、第一挟持部材１０と第二挟持部材２０が螺合した状態において、電力供給線３のスリーブ３０が嵌め込まれた部位は、溝１２の底部と押え板２２で挟持される。また、第一挟持部材１０と第二挟持部材２０が螺合した状態の移動規制具１の、挿通行４が形成された筐体壁面側から見た高さ寸法Ｌｈと幅寸法Ｌｗは、電力供給線３の挿通孔４の径Ｒｉよりも大きくなる。従って、筐体２が取付け対象部材から脱落し、落下により白抜き矢線の方向に移動したとき、移動規制具１と筐体２は係合し、筐体２は電力供給線３によって支持された状態となり、筐体２と装置主要部の落下を防ぐことができる。
【実施例】
【００３５】
トンネル照明灯具に用いられる電源分岐ケーブル（ＶＶＲ２．０ｓｑ−３Ｃ）から分岐させた、同ケーブルと同じ材質・寸法の電源供給線３に移動規制具１を固定し、落下耐久試験を実施した。
【００３６】
＜実施手順＞
１）図３に示すように、トンネル内面の傾斜を再現するための傾斜管５１を、仮設足場に設置する。
２）電源分岐ケーブルを樹脂バンドにて、仮設足場の頂部に架設したケーブルラック５２に緊結する。なお、ケーブルラック５２の設置位置は、地上から約１ｍ８０ｃｍの高さに設定されている。
３）電源分岐ケーブルから分岐させた電源供給線に接続した照明装置を、傾斜管５１で再現したトンネル内面設置再現位置にて、実際に設置される向きとし人手により保持する。
４）トンネル内面設置再現位置にて保持していた照明装置から手を放し自由落下させる。なお、トンネル内面設置再現位置の下方には、照明装置を受けるネット５３を設置しておく。
【００３７】
＜実施例１＞
種別：高周波専用蛍光ランプ  
電源用ケーブルグランド：樹脂製防水コネクター
電源ケーブル結線方式：端子台式
筐体寸法：１４００ｍｍ×４７０ｍｍ×１４６ｍｍ
重量：２６ｋｇ
【００３８】
＜実施例２＞
種別：蛍光灯ランプ
電源用ケーブルグランド：樹脂製防水コネクター
電源ケーブル結線方式：端子台式
筐体寸法：１７００ｍｍ×５５０ｍｍ×１４６ｍｍ
重量：４２ｋｇ
【００３９】
＜実施例３＞
種別：高圧ナトリウムランプ
電源用ケーブルグランド：樹脂製防水コネクター
電源ケーブル結線方式：端子台式
筐体寸法：７４０ｍｍ×４２０ｍｍ×１５５ｍｍ
重量：３０ｋｇ
【００４０】
＜比較例１＞
実施例１と同じ照明装置であって移動規制具１が取り付けられていないもの。
＜比較例２＞
実施例２と同じ照明装置であって移動規制具１が取り付けられていないもの。
＜比較例３＞
実施例２と同じ照明装置であって移動規制具１が取り付けられていないもの。
【００４１】
比較例１〜３は、自由落下させた際、直ちにネット５３上へ落下した。これに対し、実施例１〜３はいずれも、自由落下させた後、電力供給線に吊り下がった状態となり、ネット５３への落下が防止されることが確認された。また、吊り下がった状態は、１２時間以上保持されることが確認された。
【符号の説明】
【００４２】
１    移動規制具
２    筐体
３    電力供給線
４    挿通孔
１０  第一挟持部
１１  柱状部材
１２  溝
１３  螺条
１４  凹部
１５  把持部
２０  第二挟持部
２１  環状部材
２２  押え板
２３  支持板
２４  螺条
２５  支持棒
３０  スリーブ
３１  円管
３２  拡開部
３３  スリット
５１  傾斜管
５２  ケーブルラック
５３  ネット
【図１】
2016127229.tif 000003
【図２】
2016127229.tif 000004
【図３】
2016127229.tif 000005
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
設備取付け対象部に固定される筐体の内部に配置された装置主要部への電力供給線に、前記電力供給線の径方向に働く力で前記電力供給線に圧着される移動規制具が固定され、前記移動規制具は、前記筐体に設けられた前記電力供給線の挿通孔を通過できない寸法となっていることを特徴とする電気的設備の落下防止構造。
【請求項２】
前記移動規制具は、外周に螺条を設けた円柱部材からなる第一挟持部と、前記円柱部材の外周に螺合して配置される環状部材を有する第二挟持部で構成され、前記円柱部材は一方の底面に開口を有し径方向に貫通する溝を有し、前記第二挟持部は前記環状部材に対し回動自在とされ前記溝に挿入可能な形状の押え板を有し、前記電力供給線は、前記溝の底部と前記押え板で挟持される請求項１に記載の電気的設備の落下防止構造。
【請求項３】
前記移動規制具は、更に、前記電力供給線の外周に密着するスリーブを備え、前記スリーブは、円管の一端に漏斗状の拡開部を設けた形状をなし、長さ方向に延びるスリットを有し、前記電力供給線は、前記スリーブを介し前記溝の底部と前記押え板で挟持される請求項２に記載の電気的設備の落下防止構造。
【請求項４】
前記円柱部材と前記環状部材が金属製である請求項２又は３に記載の電気的設備の落下防止構造。
【請求項５】
前記円柱部材と前記環状部材が樹脂製である請求項２又は３に記載の電気的設備の落下防止構造。
【請求項６】
設備取付け対象部に固定される筐体の内部に配置された装置主要部への電力供給線に、前記電力供給線の径方向に働く力で前記電力供給線に圧着するための第一挟持部及び第二挟持部で構成され、
前記第一挟持部は、外周に螺条を設けた円柱部材からなり、前記円柱部材は一方の底面に開口を有し径方向に貫通する溝を有し、
前記第二挟持部は前記環状部材に対し回動自在とされ前記溝に挿入可能な形状の押え板を有し、
前記筐体に設けられた前記電力供給線の挿通孔を通過できない寸法となっていることを特徴とする電気的設備の落下防止構造用移動規制具。
【請求項７】
前記電力供給線の外周に密着するスリーブを備え、前記スリーブは、円管の一端に漏斗状の拡開部を設けた形状をなし、長さ方向に延びるスリットを有する請求項６に記載の電気的設備の落下防止用移動規制具。
【請求項８】
前記円柱部材と前記環状部材が金属製である請求項７に記載の電気的設備の落下防止構造用移動規制具。
【請求項９】
前記円柱部材と前記環状部材が樹脂製である請求項７に記載の電気的設備の落下防止構造用移動規制具。
【手続補正２】
【補正対象書類名】明細書
【補正対象項目名】００１１
【補正方法】変更
【補正の内容】
【００１１】
前記移動規制具は、外周に螺条を設けた円柱部材からなる第一挟持部と、前記円柱部材の外周に螺号して配置される環状部材を有する第二挟持部で構成されるものであってもよい。更に、前記電力供給線の外周に密着するスリーブを備えてもよい。
【手続補正３】
【補正対象書類名】明細書
【補正対象項目名】００１４
【補正方法】変更
【補正の内容】
【００１４】
本発明に係る電気的設備の落下防止構造用移動規制具は、設備取付け対象部に固定される筐体の内部に配置された装置主要部への電力供給線に、前記電力供給線の径方向に働く力で前記電力供給線に圧着するための第一挟持部及び第二挟持部で構成される。更に、前記電力供給線の外周に密着するスリーブを備えてもよい。